(57)【要約】【課題】コイルの冷却を効率よく行いつつ、部品点数が少なく、構造も簡素化して組立て作業も容易なものとする。【解決手段】ロータコア２４、永久磁石２５及び回転軸２８を備えるロータ２２は、軸受２９，３０を介してハウジング２１に対して回転可能である。ハウジング２１の内周面には、ステータコア３１及び界磁コイル３２を備えるステータ２３を固定している。ロータ２２とステータ２３との間には、これら両者間を密閉状態で仕切る極薄の円筒体３３を設け、円筒体３３の外周側のステータ２３を収容する空間を冷媒流路３５とする。【選択図】図１
2011234433.tif 000002
【特許請求の範囲】
【請求項１】
ロータと、該ロータを回転させるべく回転磁界を発生させる界磁コイルを備えるステータと、前記ロータを回転可能に支持するとともに、前記ステータを固定支持しつつ、これらロータ及びステータを収容するハウジングとを有するモータの冷却構造であって、前記ロータと前記ステータとの間に、これら両者間を密閉状態で仕切る仕切部材を設け、この仕切部材の前記ステータを収容する側の前記ハウジングと前記仕切部材との間に、冷却媒体を収容する冷却媒体収容領域を備えていることを特徴とするモータの冷却構造。
【発明の詳細な説明】
【技術分野】
【０００１】
本発明は、ロータ及びステータを収容するハウジング内に冷却媒体流路を備えるモータの冷却構造に関する。
【背景技術】
【０００２】
従来、例えば下記特許文献１には、ステータコアのスロットから突出した部分のコイルエンドをカバー部材で覆うとともに、上記スロットの内周側の開口部を樹脂製の被覆層で覆い、これらカバー部材及び被覆層で覆った内部を冷却媒体流路としたモータの冷却構造が開示されている。
【先行技術文献】
【特許文献】
【０００３】
【特許文献１】特許第２７１６２８６号公報
【発明の概要】
【発明が解決しようとする課題】
【０００４】
しかしながら、上記した従来のモータの冷却構造にあっては、カバー部材及び被覆層で覆った内部のコイルを冷却媒体により直接冷却できるものの、カバー部材及び被覆層が必要であることから部品点数が多く、構造も複雑化して組立て作業も煩雑なものとなっている。
【０００５】
そこで、本発明は、コイルの冷却を効率よく行いつつ、部品点数が少なく、構造も簡素化して組立て作業も容易なものとすることを目的としている。
【課題を解決するための手段】
【０００６】
本発明は、ロータと、該ロータを回転させるべく回転磁界を発生させる界磁コイルを備えるステータと、前記ロータを回転可能に支持するとともに、前記ステータを固定支持しつつ、これらロータ及びステータを収容するハウジングとを有するモータの冷却構造であって、前記ロータと前記ステータとの間に、これら両者間を密閉状態で仕切る仕切部材を設け、この仕切部材の前記ステータを収容する側の前記ハウジングと前記仕切部材との間に、冷却媒体を収容する冷却媒体収容領域を備えていることを特徴とする。
【発明の効果】
【０００７】
本発明によれば、仕切部材のステータを収容する側のハウジングと仕切部材との間の冷却媒体収容領域に冷却媒体を収容することで、該冷却媒体収容領域内に位置するステータのコイルを冷却媒体により直接冷却することができる。その際、ロータとステータとの間に、これら両者間を密閉状態で仕切る仕切部材を設けるだけであるので、部品点数が少なくて済み、構造も簡素化して組立て作業も容易なものとなる。
【図面の簡単な説明】
【０００８】
【図１】本発明の第１の実施形態を示すモータの断面図である。
【図２】（ａ）は本発明の第２の実施形態を示すモータの軸と直交する方向の断面図、（ｂ）は（ａ）の要部を拡大して示す断面図である。
【発明を実施するための形態】
【０００９】
以下、本発明の実施の形態を図面に基づき説明する。
【００１０】
［第１の実施形態］
図１に示すように、本発明の第１の実施形態に係わるモータは、ハウジング２１内にロータ２２及びステータ２３を収容している。ロータ２２は、ロータコア２４と永久磁石２５とを備え、ロータコア２４の軸方向両側にはエンドプレート２６，２７を設けている。さらに、ロータコア２４及びエンドプレート２６，２７の中心に回転軸２８を挿入固定してあり、回転軸２８は一対の軸受２９，３０を介してハウジング２１に対して回転可能である。
【００１１】
ステータ２３は、ステータコア３１と、ステータコア３１のスロットに挿入固定してある界磁コイル３２とを備え、ステータコア３１の外周部をハウジング２１の円筒部２１ａの内周面に固定している。
【００１２】
ハウジング２１は、側板部２１ｂ，２１ｃの内側に軸方向に突出する環状の内側円筒部２１ｄ，２１ｅを備え、この内側円筒部２１ｄ，２１ｅの外周側に、ロータ２２とステータ２３とを密閉状態で仕切る仕切部材としての円筒体３３を設けている。３４はシール材である。円筒体３３は、磁力線が透過可能な例えば耐熱性樹脂であるＰＥＥＫ（ポリエーテルエーテルケトン）を使用し、厚さは０．３ｍｍ程度の極薄円筒体とする。
【００１３】
上記した円筒体３３と、ハウジング２１の円筒部２１ａ及び側板部２１ｂ，２１ｃとに囲まれた領域が、冷却媒体収容領域としての冷媒流路３５となる。そして、ハウジング２１の側板部２１ｃには、冷媒流路３５に外部から冷媒を供給する冷媒供給口３６と、冷媒流路３５内の冷媒を外部に排出する冷媒排出口３７とを、それぞれ設けている。冷媒には絶縁性を確保するため、非伝導性の油等を用いるのが適切であるが、界磁コイル３２を絶縁材で覆うなどの絶縁処理を行えば水等の伝導性の冷媒も流すことも可能である。
【００１４】
このように構成したモータにおいては、ステータ２３の界磁コイル３２への通電によって、ロータ２２がステータ２３に対して回転し、その際ステータ２３の界磁コイル３２及びロータ２２の永久磁石２５が発熱する。
【００１５】
一方、上記したモータの駆動時には、図示しない例えば冷媒ポンプを駆動して、冷媒供給口３６から冷媒流路３５内に冷媒を流し、ステータ２３及びロータ２２を効率よく冷却して、その温度上昇を抑える。
【００１６】
ここで、本実施形態では、ハウジング２１内に固定してあるステータ２３を、円筒体３３によりロータ２２に対して密閉して冷媒流路３５を形成し、この冷媒流路３５に冷媒を供給することで、特に発熱する界磁コイル３２を直接冷却して、その温度上昇を効果的に抑えることができる。ロータコア２４についても、冷媒流路３５内の冷媒により極薄の円筒体３３を介した輻射伝熱等により効果的に冷却することができる。
【００１７】
その際、ロータ２２とステータ２３との間に、これら両者間を密閉状態で仕切る円筒体３３を設けるだけであるので、部品点数が少なくて済み、構造も簡素化して組立て作業も容易なものとなる。
【００１８】
［第２の実施形態］
第２の実施形態は、図２に示すように、例えば図１の円筒体３３の外周側に、軸方向（図２中で紙面に直交する方向）に延びる冷媒流路３８を複数形成している。この冷媒流路３８は、円筒体３３の外周部に一体成形した流路形成部材３９内に設けてある。
【００１９】
冷媒流路３８は、ステータコア３１のスロット３１ａ内の領域を界磁コイル３２に対し流路形成部材３９によって分離して、界磁コイル３２に対し絶縁しているため、導電性であるがより熱伝達の良好な水等を流すことができる。発熱体である界磁コイル３２近傍を熱伝達の良好な水等を流すことが可能になるため、より冷却性能が向上する。
【符号の説明】
【００２０】
２２  ロータ
２３  ステータ
３２  界磁コイル
３３  円筒体（仕切部材）
３５，３８  冷却水流路（冷却媒体収容領域）
２１  ハウジング
【図１】
2011234433.tif 000003
【図２】
2011234433.tif 000004